(57)【要約】【課題】ユーザーの個人差によらずリューズの操作性の向上を図れる電子時計を提供する。【解決手段】電子時計１は、回転操作が可能なリューズ１４と、リューズ１４の回転に応じて検出信号を出力する回転検出部２７と、検出信号を受け付ける信号受付部４７１と、第１の検出信号を受け付けた時と第２の検出信号を受け付けた時との時間間隔を計測する第一タイマー４７２Ａと、時間間隔に応じた入力無視時間を設定する時間設定部４７３と、を備え、信号受付部４７１は、第２の検出信号を受け付けた後、入力無視時間内に検出信号が出力された場合、当該検出信号を受け付けず、入力無視時間経過後に検出信号が出力された場合、当該検出信号を受け付ける。【選択図】図４
2014215106.tif 000002
【特許請求の範囲】
【請求項１】
回転操作が可能な操作部材と、
前記操作部材の回転に応じて検出信号を出力する回転検出部と、
前記検出信号を受け付ける信号受付部と、
前記信号受付部が第１の検出信号を受け付けた時と、前記第１の検出信号とは異なる第２の検出信号を受け付けた時との時間間隔を計測する間隔計測部と、
前記時間間隔が所定時間内である場合に、前記時間間隔に応じた入力無視時間を設定する時間設定部と、を備え、
前記信号受付部は、
前記第２の検出信号を受け付けた後、前記入力無視時間内に前記回転検出部から前記検出信号が出力された場合、当該検出信号を受け付けず、
前記入力無視時間経過後に前記検出信号が出力された場合、当該検出信号を受け付ける
ことを特徴とする電子時計。
【請求項２】
請求項１に記載の電子時計において、
前記入力無視時間は、前記時間間隔に対して所定の係数を乗算した時間である
ことを特徴とする電子時計。
【請求項３】
請求項２に記載の電子時計において、
前記係数は、１．０より大きい
ことを特徴とする電子時計。
【請求項４】
請求項２または請求項３に記載の電子時計において、
前記回転検出部は、前記操作部材が第一角度回転される毎に前記検出信号を出力し、
前記係数は、前記第一角度に応じて設定される
ことを特徴とする電子時計。
【発明の詳細な説明】
【技術分野】
【０００１】
本発明は、操作部材の操作により時刻修正を実施する電子時計に関する。
【背景技術】
【０００２】
従来、電子式リューズにより時刻を修正する電子時計が知られている（例えば、特許文献１参照）。
この特許文献１の電子時計は、リューズにカム（スイッチ車）が設けられ、リューズとともにスイッチ車が回転すると、第一のスイッチ板が押されて第二のスイッチ板に接触し、さらにスイッチ車が回されると第一のスイッチ板が第二のスイッチ板から離れる。そして、一定時間（例えば１秒）内に連続した２回の接点の開閉（第一のスイッチ板及び第二のスイッチ板の接触及び離間）がある場合、通常の運針から早送り状態とし、さらに一定時間（入力無視時間）経過後に接点の開閉があった場合に、早送りを停止させて通常の運針に戻す。
【先行技術文献】
【特許文献】
【０００３】
【特許文献１】特開昭５５−１５０５３号公報
【発明の概要】
【発明が解決しようとする課題】
【０００４】
ところで、上記特許文献１は、一定時間内に連続した２回の接点の開閉があると、運針速度を早送りで駆動させ、その後、さらに固定の入力無視時間が経過した後に接点の開閉があった場合に、通常の運針に戻している。
しかしながら、ユーザーのリューズの回転速度（回転角度）には個人差があるので、個人差によっても一対のスイッチ板が連続して接触する時間間隔が変化する。さらに、リューズを回転させる方向によっても、リューズを回転させる速度が変化するので、一対のスイッチ板が連続して接触する時間間隔が変化する。
したがって、例えばユーザーの操作により２回の接点の開閉が行われ、早送りでの時刻修正が実施された後、すぐに通常の運針速度に戻したい場合でも、固定の入力無視時間がカウントされている入力無視期間中は操作が受け付けられないという課題がある。これに対して、入力無視時間を短く設定しておくことも考えられるが、例えばリューズの回し過ぎ等によって、２回の接点の開閉が行われた後、入力無視時間経過後にユーザーの意図しない３回目の接点の開閉が行われる可能性があり、この場合、ユーザーの意図しないタイミングで早回しでの時刻修正が停止されてしまうという課題がある。以上に示すように、入力無視時間を固定の時間に設定すると、時計の操作性が低下してしまう。
【０００５】
本発明は、ユーザーの個人差によらず時計の操作性を向上させた電子時計を提供することを目的とする。
【課題を解決するための手段】
【０００６】
本発明の電子時計は、回転操作が可能な操作部材と、前記操作部材の回転に応じて検出信号を出力する回転検出部と、前記検出信号を受け付ける信号受付部と、前記信号受付部が第１の検出信号を受け付けた時と、前記第１の検出信号とは異なる第２の検出信号を受け付けた時との時間間隔を計測する間隔計測部と、前記時間間隔が所定時間内である場合に、前記時間間隔に応じた入力無視時間を設定する時間設定部と、を備え、前記信号受付部は、前記第２の検出信号を受け付けた後、前記入力無視時間内に前記回転検出部から前記検出信号が出力された場合、当該検出信号を受け付けず、前記入力無視時間経過後に前記検出信号が出力された場合、当該検出信号を受け付けることを特徴とする。
【０００７】
本発明では、信号受付部により第１の検出信号（第一検出信号）が受け付けられた時（タイミング）と、第２の検出信号（第二検出信号）が受け付けられた時（タイミング）との時間間隔（検出間隔）を間隔計測部により計測し、その検出間隔に応じて入力無視時間を設定する。そして、信号受付部は、第二検出信号を受け付けた後から入力無視時間が経過する前に検出信号が出力された場合に、当該検出信号を無視して受け付けない。一方、信号受付部は、入力無視時間が経過した後に検出信号が出力された場合に、当該検出信号を受け付ける。
このような構成では、例えば、検出間隔が大きい場合では、入力無視時間を大きくし、検出間隔が小さい場合では、入力無視時間も小さくすることができる。したがって、ユーザーが実施した時計操作に応じて、例えばリューズ等の操作部材の回転速度を変化させることで、入力無視時間を変化させることが可能となり、ユーザーの個人差によらず操作部材の操作性を向上させることが可能となる。
また、本発明では、操作部材のサイズや形状が異なる複数種の電子時計に対してユーザーの平均入力間隔を測定して適切な入力無視時間を算出する等の必要がない。また、操作部材を回転させる方向によって回転させやすさが異なるが、当該回転方向に対しても、ユーザーの平均入力間隔を測定して適切な入力無視時間を算出する等の必要がない。したがって、操作部材のサイズや形状、操作部材の回転方向によらず、適切な入力無視時間を設定することができる。
【０００８】
本発明の電子時計において、前記入力無視時間は、前記時間間隔に対して所定の係数を乗算した時間であることが好ましい。
本発明では、検出間隔に対して比例する入力無視時間を設定する。このような構成では、上述した発明と同様に、検出間隔が大きい場合では入力無視時間を大きくでき、検出間隔が小さい場合では入力無視時間を小さくすることができる。また、検出間隔に対して所定の比例係数をかけるだけで容易に入力無視時間を設定することができる。
【０００９】
本発明の電子時計において、前記係数は、１．０より大きいことが好ましい。
本発明では、検出間隔に対して１．０より大きい係数をかけた入力無視時間を設定する。ここで、係数が１．０以下である場合、例えば、ユーザーが連続した２回の検出信号を出力させたい場合に、操作部材を等速回転させて連続して３回の検出信号が出力されると、３回目の検出信号が信号受付部により受け付けられてしまうことになり、ユーザーの意図しない操作が行われることになる。これに対して、係数を１より大きくすることで、操作部材を等速回転させた場合でも、３回目の検出信号の出力タイミングが入力無視時間内となり、上記のような不都合を回避できる。
【００１０】
本発明の電子時計において、前記回転検出部は、前記操作部材が第一角度回転される毎に前記検出信号を出力し、前記係数は、前記第一角度に応じて設定されることが好ましい。
本発明では、回転検出部から検出信号が出力される操作部材の回転角度（第一角度）に応じて係数が設定されている。したがって、例えば、第一角度が小さい場合（僅かに操作部材を回転させるだけで検出信号が出力される場合）では、係数は小さい値に設定される。一方、第一角度が大きい場合では、係数は大きい値に設定される。
一般に、操作部材を回転操作した時、１回目の検出信号が出力されてから２回目の検出信号が出力されるまでの間隔よりも、２回目の検出信号が出力されてから３回目の検出信号が出力されるまでの間隔の方が長くなる。つまり、３回目の検出信号の入力タイミングが遅れる傾向にある。
一方、本発明では、１回目の検出信号から２回目の検出信号までの検出間隔に対して前記係数をかけ、１回目の検出信号から２回目の検出信号までの検出間隔よりも長い入力無視時間を設定することで、ユーザーが誤って回転操作をして３回目の検出信号が出力された時に、当該３回目の検出信号が無視されるように設定されている。
ここで、本発明では、第一角度が小さい場合、検出間隔は小さい値になるので、係数も小さい値となり、第一角度が大きい場合、検出間隔は大きい値になるので、係数も大きい値となる。このような係数を設定することで、操作部材の仕様に対して最適な入力無視時間を設定することができる。
【図面の簡単な説明】
【００１１】
【図１】本発明に係る一実施形態の電子時計を示す正面図である。
【図２】電子時計の概略断面図である。
【図３】本実施形態の回転検出部の概略構成を示す図である。
【図４】本実施形態の電子時計の構成を示すブロック図である。
【図５】本実施形態の記憶装置の構成を示すブロック図である。
【図６】本実施形態の手動時刻修正のフローチャートである。
【図７】図６におけるリューズ回転操作判定処理のフローチャートである。
【図８】図７における初期モードの信号判定処理のフローチャートである。
【図９】図７における早回し判定モードの信号判定処理のフローチャートである。
【図１０】図７における早回し停止判定モードの信号判定処理のフローチャートである。
【発明を実施するための形態】
【００１２】
以下、本発明の具体的な実施形態を図面に基づいて説明する。
図１は、本発明の一実施形態に係る電子時計１の正面図であり、図２は電子時計１の概略断面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出するように構成されている。なお、ＧＰＳ衛星１００は、位置情報衛星の一例であり、地球の上空に複数存在している。現在は約３０個のＧＰＳ衛星１００が周回している。
【００１３】
［電子時計］
電子時計１は、使用者の手首に装着される腕時計であり、文字板１１及び指針１２（時刻表示部）を備え、時刻を計時して表示する。
文字板１１の大部分は、光及び１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２及び時針１２３を含み、歯車を介してステップモーターで駆動される。
【００１４】
［操作部の操作］
電子時計１では、リューズ１４（本発明の操作部材に相当）やボタン１５、１６を有する入力装置（操作部）７０の手動操作に応じた処理が実行される。具体的には、リューズ１４が操作されると、その操作に応じて表示時刻を修正する手動修正処理が実行される。また、ボタン１５が長時間（例えば３秒以上の時間）にわたって押されると、衛星信号を受信するための手動受信処理（強制受信処理）が実行される。
【００１５】
また、ボタン１６が押されると、受信モード（測時モード、測位モード）を切り替える切替処理が実行される。
測時モードとは、１つ以上のＧＰＳ衛星１００を捕捉して衛星信号を受信し、受信した衛星信号から時刻情報を取得するモードである。
測位モードとは、３つ以上のＧＰＳ衛星１００を捕捉して衛星信号を受信し、受信した衛星信号に基づいて測位演算することで位置情報を取得するモードである。なお、測位モードでは、通常、衛星信号から時刻情報も同時に取得できるが、測位モードにおいて、衛星信号から時刻情報を取得しなくてもよい。
【００１６】
ボタン１６の操作による受信モードの設定は、後述する記憶装置６０に記憶される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。このため、利用者は設定された受信モードを容易に確認できる。
なお、受信モードは、秒針１２１で指示するものに限らず、モードを指示する指針（モード針）を別に設けて表示してもよい。
【００１７】
なお、後述する定時受信処理時には、ボタン１６で設定されたモードに関係なく、受信モードを測時モードまたは測位モードに固定してもよいし、定時受信処理時もボタン１６で設定された受信モードで制御してもよい。本実施形態では、後述するように、定時受信処理時は測時モードに固定している。
【００１８】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（１０秒位置）の位置に移動し、測時モードで受信成功の場合には、秒針１２１が「Ｔｉｍｅ」（５秒位置）の位置に移動する。また、受信失敗の場合には秒針１２１が「Ｎ」の位置（２０秒位置）に移動する。
なお、これらの秒針１２１による指示は受信中も行われる。測位モードで受信中は秒針１２１が「Ｆｉｘ」の位置（１０秒位置）に移動し、測時モードで受信中は秒針１２１が「Ｔｉｍｅ」の位置（５秒位置）に移動する。また、ＧＰＳ衛星が捕捉できない場合は秒針１２１が「Ｎ」の位置（２０秒位置）に移動する。
【００１９】
［電子時計の構造］
図２に示すように、電子時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して開口を覆う表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、文字板１１、ムーブメント２１、ソーラーパネル２２、ＧＰＳアンテナ２３、二次電池２４、回転検出部２７（図４参照）などが配置されている。
【００２０】
ムーブメント２１は、指針１２を駆動する駆動機構２１０を備えている。駆動機構２１０は、ステップモーター、輪列２１１、前記ステップモーターを駆動する駆動回路などを備えて構成されている。ステップモーターは、モーターコイル２１２、ステーター、ローターなどで構成されており、輪列２１１や回転軸１３を介しての指針１２等を駆動する。ステップモーターとしては、秒針１２１を駆動させるための秒針モーター２１３（図４参照）、及び分針１２２及び時針１２３を駆動させるための時分針モーター２１４（図４参照）が設けられている。
【００２１】
ムーブメント２１の裏蓋２０側には、回路基板２５が配置されている。
回路基板２５には、ＧＰＳアンテナ２３で受信した衛星信号を処理する受信装置３０と、前記受信装置３０やステップモーターの駆動制御などの各種制御を行う制御装置４０と、ソーラーパネル２２で発電した電力を二次電池２４に充電する充電回路８０などが取り付けられている。受信装置３０や制御装置４０は、二次電池２４から供給される電力で駆動される。
【００２２】
［ソーラーパネル］
ソーラーパネル２２は、光エネルギーを電気エネルギーに変換する光発電を行う光発電素子である。ソーラーパネル２２は、図示を略すが７〜８個のソーラーセルを備え、これらのソーラーセルを直列に接続して出力している。
図２に示すように、ソーラーパネル２２は、ソーラーパネル支持基板２２０で支持されている。ソーラーパネル支持基板２２０は、例えば、ＢＳ（真鍮）、ＳＵＳ（ステンレス鋼）、チタン合金などの金属材料により形成される厚さ寸法が例えば０．１ｍｍの導電性基板である。このことにより、ソーラーパネル支持基板２２０は、近接して配置されるＧＰＳアンテナ２３と同じ電流分布となってＧＰＳアンテナ２３の一部として機能する。
ソーラーパネル支持基板２２０は、外装ケース１７に接触しないように組み込まれる。すなわち、ソーラーパネル支持基板２２０は、外周縁が外装ケース１７の内周面と離間して接触することなく配置される。
【００２３】
文字板１１及びソーラーパネル２２は、各々の外周径がダイヤルリング１４０の内周径に合わせて形成され、各々の外周はダイヤルリング１４０で隠されているので、ソーラーパネル支持基板２２０が外部から視認されることはない。また、ソーラーパネル支持基板２２０の外形寸法は、ソーラーパネル２２や文字板１１よりも大きな寸法とされ、前記ＧＰＳアンテナ２３の下面位置まで拡大されている。
【００２４】
［ＧＰＳアンテナ］
ＧＰＳアンテナ２３は、矩形断面形状を有するリング状の誘電体基材２３１を備え、その表面にアンテナ電極２３２が形成されたリングアンテナである。
誘電体基材２３１は、電波の波長を短縮させるものであり、例えばアルミナ（εｒ＝８．５）を主成分としたセラミックスや、マイカを成分としたセラミックスである、いわゆるマイカレックス（εｒ＝６．５〜９．５）、ガラス（εｒ＝５．４〜９．９）、ダイヤモンド（εｒ＝５．６８）などで構成できる。
【００２５】
アンテナ電極２３２は、誘電体基材２３１の表面に、銅や銀などの導電性の金属素子を印刷したり、銀や銅などの導電性の金属板を誘電体基材２３１の表面に貼り付けたりすることで、誘電体基材２３１に線状に一体的に形成される。なお、アンテナ電極２３２は、誘電体基材２３１の表面に無電解めっきでパターン形成することで形成してもよい。
【００２６】
アンテナ電極２３２には、接続ピン３１が接触されている。この接続ピン３１は、略円筒状の接続基部３２に挿入されている。接続基部３２は、回路基板２５上のプリント配線に接続されて立設されている。
接続ピン３１及び接続基部３２は、プリント配線を介して受信装置３０に電気的に接続されている。接続基部３２は、筒内部に例えばコイルバネなどの付勢部材が設けられており、接続基部３２に挿入された接続ピン３１をアンテナ電極２３２側に付勢している。これにより、接続ピン３１は、アンテナ電極２３２の給電点に押圧され、例えば電子時計１に衝撃が加わった際でも、接続ピン３１とアンテナ電極２３２との接続状態が維持される。
【００２７】
本実施形態において、導電性部材製の裏蓋２０はＧＰＳアンテナ２３のグランド板（反射板）を兼ねている。裏蓋２０は、ムーブメント２１に設けられた接地端子２６に導通している。接地端子２６は、ムーブメント２１の受信装置３０のグランド電位に接続している。このため、裏蓋２０は、接地端子２６を介して受信装置３０のグランド電位に電気的に接続しており、表面ガラス１９側から入射する電波をＧＰＳアンテナ２３に向かって反射させるグランド板（反射板）として機能する。なお、裏蓋２０に接触している導電性部材の外装ケース１７もグランド電位となるため、外装ケース１７もグランド板として機能する。
さらに、裏蓋２０及び外装ケース１７が金属製なので、グランド板として機能する他に、利用者の腕に装着した場合のＧＰＳアンテナ２３への影響を回避できる。つまり、ケースがプラスチックケースだと、近傍にある腕の影響を受けて装着時と非装着時でＧＰＳアンテナ２３の共振周波数が変動し、性能差が出て好ましくない。しかし、ケースが金属製なので、そのシールド効果により腕の影響を回避でき、本実施形態では装着時と非装着時とのアンテナ特性に差が殆どなく、安定した受信性能が得られる。ただし、プラスチックケースを採用することもできる。
【００２８】
［二次電池］
二次電池２４は、電子時計１の電源装置であり、ソーラーパネル２２で発生した電力を蓄積する。
電子時計１では、ソーラーパネル２２の二つの電極と二次電池２４の二つの電極とを、二本の導通コイルバネ２２Ａによってそれぞれ電気的に接続することが可能であり、接続時には、ソーラーパネル２２の光発電によって二次電池２４が充電される。なお、本実施形態では、二次電池２４として、携帯機器に好適なリチウムイオン二次電池を用いているが、リチウムポリマー電池や他の二次電池を用いてもよいし、二次電池とは異なる蓄電体（例えば容量素子）を用いてもよい。
【００２９】
［回転検出部］
図３は、回転検出部２７の概略構成を示す図である。
回転検出部２７は、リューズ１４が回転操作された際に、その回転方向と回転量を検出する。
図３に示すように、リューズ１４は、巻真１４１と、この巻真１４１に中心が固定されたスイッチ車１４２とを備えている。スイッチ車１４２は、外周縁に複数（本実施形態では１２０度間隔となる３つ）の歯１４３を備えている。
そして、回転検出部２７は、図３に示すように、移動体２７１と、接点バネ２７２と、第一スイッチ２７３Ａと、第二スイッチ２７３Ｂと、を備えている。
【００３０】
移動体２７１は、スイッチ車１４２の歯１４３の移動経路上で、スイッチ車１４２の外周縁の接線方向に移動可能に設けられている。そして、移動体２７１は、スイッチ車１４２の歯１４３が接触すると、図３（Ｂ）に示すように、スイッチ車１４２の回転方向（リューズ１４の回転操作方向）に移動する。
【００３１】
接点バネ２７２は、移動体２７１に固定され、当該移動体２７１を、歯１４３の移動経路上である初期位置（図３（Ａ）に示す位置）側に付勢する。したがって、リューズ１４が回転操作（右回転）されて、図３（Ｂ）に示すように、歯１４３により移動体２７１が移動された後、歯１４３が移動体２７１から離れると、移動体２７１は、接点バネ２７２の付勢力により初期位置に戻る。
この接点バネ２７２は、後述する制御装置４０（図４参照）に接続され所定の電源電圧（ＶＤＤ）が印加されている。接点バネ２７２は、移動体２７１が第一スイッチ２７３Ａ側に移動した際に、当該第一スイッチ２７３Ａに接触する接点２７２Ａと、移動体２７１が第二スイッチ２７３Ｂ側に移動した際に、当該第二スイッチ２７３Ｂに接触する接点２７２Ｂと、を備えている。また、第一スイッチ２７３Ａ及び第二スイッチ２７３Ｂは、それぞれ制御装置４０に接続されている。
ここで、リューズ１４が右回転されると、接点２７２Ａと第一スイッチ２７３Ａとが接触することで、第一スイッチ２７３Ａがオン状態となり、第一スイッチ２７３Ａを介して接点バネ２７２の電圧信号（ＶＤＤ）が検出信号として制御装置４０に入力される。同様に、リューズ１４が左回転されると、接点２７２Ｂと第二スイッチ２７３Ｂとが接触することで、第二スイッチ２７３Ｂがオン状態となり、第二スイッチ２７３Ｂを介して接点バネ２７２の電圧信号（ＶＤＤ）が検出信号として制御装置４０に入力される。したがって、第一スイッチ２７３Ａがオン状態になったか、第二スイッチ２７３Ｂがオン状態になったかを判定することで、リューズ１４の回転方向を検出することが可能となる。つまり、回転検出部２７は、本発明の回転方向検出部としても機能する。
また、本実施形態では、上述したように、歯１４３が１２０度間隔で配置されているため、回転検出部２７は、リューズ１４が１２０度回転される毎に検出信号を制御装置４０に出力する。すなわち、本実施形態では、本発明の第一角度が１２０度となる。
【００３２】
また、リューズ１４は、巻真１４１の軸方向に３段階で移動可能な構成となっている。そして、回転検出部２７には、リューズ１４が引き出された段数に応じた信号を制御装置４０に出力する第三スイッチ２７４Ａ（図４参照）及び第四スイッチ２７４Ｂ（図４参照）を備えている。
第三スイッチ２７４Ａは、リューズ１４が１段引き出された際に制御装置４０に引出検出信号を出力し、第四スイッチ２７４Ｂは、リューズ１４が２段引き出された際に制御装置４０に引出検出信号を出力する。制御装置４０は、引出検出信号が出力されたスイッチを判定することで、リューズ１４の引出段数を判断することが可能となる。
【００３３】
［電子時計の回路構成］
図４は、電子時計１の回路構成を示すブロック図である。電子時計１は、受信装置３０（受信部）、制御装置４０（制御部）、計時装置５０（計時部）、記憶装置６０（記憶部）、入力装置７０（操作部）を備えている。
【００３４】
［受信装置］
受信装置３０は、二次電池２４に蓄積された電力で駆動される負荷であり、制御装置４０によって駆動されると、ＧＰＳアンテナ２３を通じてＧＰＳ衛星１００から送信される衛星信号を受信する。そして、受信装置３０は、衛星信号の受信に成功した場合には、取得した軌道情報やＧＰＳ時刻情報などの情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００３５】
［計時装置］
計時装置５０は、二次電池２４に蓄積された電力で駆動される水晶振動子等を備え、水晶振動子の発振信号に基づく基準信号を用いて時刻データを更新する。
【００３６】
［記憶装置］
記憶装置６０は、図５に示すように、時刻データ記憶部６００と、タイムゾーンデータ記憶部６８０と、定時受信時刻記憶部６９０とを備えている。
【００３７】
時刻データ記憶部６００には、受信時刻データ６１０と、閏秒更新データ６２０と、内部時刻データ６３０と、時計表示用時刻データ６４０と、タイムゾーンデータ６５０とが記憶される。
【００３８】
受信時刻データ６１０には、衛星信号から取得した時刻情報（ＧＰＳ時刻）が記憶される。この受信時刻データ６１０は、通常は計時装置５０によって１秒毎に更新され、衛星信号を受信した際には、取得した時刻情報（ＧＰＳ時刻）によって修正される。
【００３９】
閏秒更新データ６２０には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６２０に記憶している。
【００４０】
内部時刻データ６３０には、内部時刻情報が記憶される。この内部時刻情報は、受信時刻データ６１０に記憶されたＧＰＳ時刻と、閏秒更新データ６２０に記憶している「現在の閏秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００４１】
時計表示用時刻データ６４０には、前記内部時刻データ６３０の内部時刻情報に、タイムゾーンデータ６５０のタイムゾーンデータ（タイムゾーン情報、時差情報）を加味した時刻データが記憶される。タイムゾーンデータ６５０は、測位モードで受信した場合に得られる位置情報で設定される。
【００４２】
タイムゾーンデータ記憶部６８０は、位置情報（緯度、経度）とタイムゾーン情報（時差情報）とを関連付けて記憶している。このため、測位モードで位置情報を取得した場合、制御装置４０は、その位置情報（緯度、経度）に基づいてタイムゾーンデータを取得できるようにされている。
【００４３】
なお、タイムゾーンデータ記憶部６８０には、さらに、都市名とタイムゾーンデータとを関連付けて記憶してもよい。この場合、入力装置７０の操作によって、利用者が現地時刻を知りたい都市名を選択すると、制御装置４０は、タイムゾーンデータ記憶部６８０に対して利用者が設定した都市名を検索し、その都市名に対応するタイムゾーンデータを取得してタイムゾーンデータ６５０に設定すればよい。
【００４４】
定時受信時刻記憶部６９０には、測時部４１０における定時受信処理を実行する定時受信時刻が記憶される。この定時受信時刻は、前回、強制受信に成功した時刻が記憶される。
【００４５】
［制御装置］
制御装置４０は、電子時計１を制御するＣＰＵで構成されている。制御装置４０は、測時部４１０と、測位部４２０と、タイムゾーン設定部４３０と、タイムゾーン修正部４４０と、自動時刻修正部４５０と、リューズ段数判定部４６０と、リューズ回転操作判定部４７０と、手動時刻修正部４８０と、を備える。
【００４６】
［測時部］
測時部４１０は、受信装置３０を作動して測時モードでの受信処理を行う。本実施形態では、自動受信処理と手動受信処理とにおいて測時モードでの受信処理を実行する。
自動受信処理は、定時自動受信処理と、光自動受信処理の２種類がある。すなわち、測時部４１０は、計時している内部時刻データ６３０が、定時受信時刻記憶部６９０に記憶された定時受信時刻になった場合に、受信装置３０を作動して測時モードでの定時自動受信処理を行う。
また、測時部４１０は、ソーラーパネル２２の発電電圧または発電電流が設定値以上となり、屋外においてソーラーパネル２２に日光が照射していると判断できる場合に、受信装置３０を作動して測時モードでの光自動受信処理を行う。なお、ソーラーパネル２２の発電状態で受信装置３０を作動する処理の回数は、１日に１回などに制約してもよい。
さらに、利用者が入力装置７０のボタン１５を押して強制受信操作を行った場合、測時部４１０は、受信装置３０を作動して測時モードでの手動受信処理を行う。
【００４７】
測時部４１０は、受信装置３０で少なくとも１つのＧＰＳ衛星１００を捕捉し、そのＧＰＳ衛星１００から送信される衛星信号を受信して時刻情報を取得する。
【００４８】
［測位部］
測位部４２０は、利用者が入力装置７０のボタン１５を押して強制受信操作を行った場合に、受信装置３０を作動して測位モードでの受信処理を行う。
なお、制御装置４０は、ボタン１５を押している時間に応じて、測時部４１０による測時モードでの受信処理と、測位部４２０による測位モードでの受信処理を切り替えて実行する。すなわち、制御装置４０は、ボタン１５を第１設定時間（３秒以上、６秒未満）押した場合には測時モードでの受信処理を行い、第２設定時間（６秒以上）押した場合には測位モードでの受信処理を行う。
なお、予め測時モード、測位モード、閏秒受信モードを選択して設定しておき、前記自動受信処理（定時自動受信処理や光自動受信処理）時には設定したモードで受信処理を行ってもよい。
【００４９】
測位部４２０は、測位モードでの受信処理を開始すると、受信装置３０で少なくとも３個、好ましくは４個以上のＧＰＳ衛星１００を捕捉し、各ＧＰＳ衛星１００から送信される衛星信号を受信して位置情報を算出して取得する。また、測位部４２０は、衛星信号を受信した際に時刻情報も同時に取得できる。
【００５０】
［タイムゾーン設定部］
タイムゾーン設定部４３０は、測位部４２０で位置情報の取得に成功した場合、取得した位置情報（緯度、経度）に基づいてタイムゾーンデータを設定する。具体的には、タイムゾーンデータ記憶部６８０から位置情報に対応するタイムゾーンデータ（タイムゾーン情報つまり時差情報）を選択して取得し、タイムゾーンデータ６５０に記憶する。
例えば、日本標準時（ＪＳＴ）は、ＵＴＣに対して９時間進めた時刻（ＵＴＣ＋９）であるため、測位部４２０で取得した位置情報が日本である場合には、タイムゾーン設定部４３０は、タイムゾーンデータ記憶部６８０から日本標準時の時差情報（＋９時間）を読み出してタイムゾーンデータ６５０に記憶する。
【００５１】
［タイムゾーン修正部］
タイムゾーン修正部４４０は、タイムゾーン設定部４３０がタイムゾーン情報を設定すると、前記第１時刻つまり時計表示用時刻データ６４０を、前記タイムゾーンデータを用いて修正する。このため、時計表示用時刻データ６４０は、ＵＴＣである内部時刻データ６３０にタイムゾーンデータを加算した時刻となる。
一方、タイムゾーン修正部４４０は、前記第２時刻は前記タイムゾーン情報を用いて修正しない。
【００５２】
［自動時刻修正部］
自動時刻修正部４５０は、測時部４１０や測位部４２０の受信処理で時刻情報の取得に成功した場合、取得した時刻情報で受信時刻データ６１０を修正する。このため、内部時刻データ６３０及び時計表示用時刻データ６４０も修正される。時計表示用時刻データ６４０が修正されると、針位置検出手段で時計表示用時刻データ６４０と同期している指針１２の指示時刻も修正される。
【００５３】
［リューズ段数判定部］
リューズ段数判定部４６０は、回転検出部２７における第三スイッチ２７４Ａまたは第四スイッチ２７４Ｂからの引出検出信号に基づいて、リューズ１４が引き出されたか否かを判定する。
リューズ１４が引き出されていない状態では、第三スイッチ２７４Ａ及び第四スイッチ２７４Ｂの双方がオフ状態となる。この場合では、リューズ段数判定部４６０は、リューズ１４が引き出されていない（引出段数が「０」である）と判定する。また、リューズ１４が１段引き出されると、第三スイッチ２７４Ａがオン状態、第四スイッチ２７４Ｂがオフ状態となり、第三スイッチ２７４Ａから制御装置４０に引出検出信号が入力される。この場合、リューズ段数判定部４６０は、リューズ１４の引出段数が「１」であると判定する。さらに、リューズ１４が２段引き出されると、第三スイッチ２７４Ａがオフ状態、第四スイッチ２７４Ｂがオン状態となり、第四スイッチ２７４Ｂから制御装置４０に引出検出信号が入力される。この場合、リューズ段数判定部４６０は、リューズ１４の引出段数が「２」であると判定する。
【００５４】
［リューズ回転操作判定部］
リューズ回転操作判定部４７０は、図４に示すように、信号受付部４７１、タイマー４７２、時間設定部４７３、信号判定部４７４を備えている。
信号受付部４７１は、回転検出部２７から出力される検出信号を受け付けるとともに、第一スイッチ２７３Ａがオン状態になったか、第二スイッチ２７３Ｂがオン状態になったかによって、リューズ１４が回転操作された際の回転方向を判定する。具体的には、リューズ回転操作判定部４７０は、第一スイッチ２７３Ａから検出信号の入力がある場合は、第一スイッチ２７３Ａがオン状態であり、回転方向が右方向（第一方向）であると判定する。また、第二スイッチ２７３Ｂからの検出信号の入力により、第二スイッチ２７３Ｂがオン状態であり、回転方向が左方向（第二方向）であると判定する。
また、信号受付部４７１は、後述する時間設定部４７３により設定された入力無視時間がカウントされている最中に、回転検出部２７から検出信号が入力された場合、当該検出信号を受け付けず、すなわち、入力された検出信号を無視する。
【００５５】
タイマー４７２は、第一タイマー４７２Ａ及び第二タイマー４７２Ｂを備える。
第一タイマー４７２Ａは、駆動モードが早回し修正モードでない場合に、１回目の検出信号（第一検出信号）の出力が検出された時点（制御装置４０に検出信号が入力された時点）で、時間のカウントをスタートさせる。ここで、早回し修正モードとは、分針１２２及び時針１２３を通常の運針速度よりも速い早回し速度（時刻修正速度）で連続駆動させて、ユーザーが指定したタイミングで通常の運針速度に切り替えて時刻を修正する駆動モードである。
なお、本実施形態では、第一タイマー４７２Ａの初期値は、予め設定された早回し判定用時間（例えば１６０ｍｓ）であり、当該早回し判定用時間からカウンタ値をカウントダウンさせる。そして、第一タイマー４７２Ａは、第一検出信号の検出から、カウンタ値が０になるまでの間に、２回目の検出信号（第二検出信号）が検出された場合、カウントをストップさせる。これにより、残カウンタ値から、第一検出信号及び第二検出信号の検出間隔（信号出力間隔）が取得可能となる。この時、第一タイマー４７２Ａは、カウンタ値をリセットする（初期値の１６０ｍｓに戻す）。
また、第一検出信号の検出から、第二検出信号が検出されないまま、早回し判定用時間が経過する（カウンタ値が０になる）と、カウントをストップさせ、カウンタ値をリセットする（初期値の１６０ｍｓに戻す）。
【００５６】
第二タイマー４７２Ｂは、第一検出信号が検出された後、早回し判定用時間が経過するまでの間に第二検出信号が検出された場合に、第二検出信号の検出タイミングから時間のカウントをスタートさせる。
なお、本実施形態では、第二タイマー４７２Ｂの初期値は、後述の時間設定部４７３により算出された入力無視時間であり、当該入力無視時間からカウンタ値をカウントダウンさせる。そして、第二タイマー４７２Ｂは、入力無視時間が経過し、カウンタ値が０になると、カウンタ値をリセットし、カウントを停止させる。
【００５７】
時間設定部４７３は、タイマー４７２により計測された第一検出信号及び第二検出信号の検出間隔に対して所定の比例係数を乗算した入力無視時間を設定する。
ここで、比例係数として、１．０より大きく、かつ、３．０以下である値が好ましく、本実施形態では、例えば１．５が採用されている。本発明では、第二検出信号が検出された後、時間設定部４７３により設定された入力無視時間が経過するまでの間、信号受付部４７１が検出信号を受け付けず、入力無視時間が経過した後に検出された検出信号を受け付ける。したがって、リューズ１４が等速回転されて、ユーザーの意図しない３回目の検出信号が出力された場合に、比例係数を１．０以下とすると、当該検出信号が信号受付部４７１に受け付けられることになる。この場合、手動時刻修正部４８０により早回し修正モードが、ユーザーの意図しないタイミングで停止される場合がある。また、係数を３．０より大きくすると、入力無視時間が長くなり、ユーザーの意図したタイミングで早回し修正モードを終了できない場合がある。これに対して、上記のような係数を設定することで、時計の操作性を向上させることができる。
【００５８】
また、この係数は、検出信号を出力されるためのリューズ１４の回転角度に基づいて設定されることが好ましい。本実施形態では、スイッチ車１４２の歯数によって、検出信号を出力するためのリューズ１４の回転角度が変化する。したがって、歯数が多い場合では係数を小さく、歯数が少ない場合では、係数を大きくする。
例えば、リューズ１４を３６０度回転させた際に３回の検出信号が出力される時計では、係数を１．８に設定し、リューズ１４を３６０度回転させた際に４回の検出信号が出力される時計では、係数を１．２にする。この場合、リューズ１４を３６０度回転させるために１２０ｍｓ要したとすると、前者では、検出信号の検出間隔が４０ｍｓとなり、入力無視時間は７２ｍｓと設定され、後者では、検出信号の検出間隔が３０ｍｓとなり、入力無視時間は３６ｍｓと設定される。つまり、検出間隔に応じて、入力無視時間を適切な値に設定することができる。
【００５９】
信号判定部４７４は、信号判定モードとして、初期モード、早回し判定モード、及び早回し停止判定モードのいずれかを設定し、各モードに対応した時刻修正指令を手動時刻修正部４８０に出力する。
リューズ１４が２段階引き出され、手動時刻修正が開始された時点では、信号判定モードは初期モードに設定される。この初期モードは、第一タイマー４７２Ａ及び第二タイマー４７２Ｂが停止している際の、信号の判定モードである。
早回し判定モードは、初期モードにおいて検出信号が検出され、第一タイマー４７２Ａによる早回し判定用時間のカウントが開始された際に設定されるモードである。
早回し停止判定モードは、第二タイマー４７２Ｂによる入力無視時間のカウントが開始された際に設定されるモードである。
【００６０】
［手動時刻修正部］
手動時刻修正部４８０は、本発明の時刻修正部に相当し、リューズ段数判定部４６０により引出段数が「２」と判定された際に、リューズ回転操作判定部４７０の信号受付部４７１により受け付けられた検出信号に応じて、時分針モーター２１４を駆動させ、表示装置１０に表示される指針１２の指示時刻を修正する。この際、指針１２と同期している内部時刻データ６３０及び時計表示用時刻データ６４０も同時に修正される。
ここで、手動時刻修正部４８０は、時刻修正の駆動モードとして、単修正モードと、早回し修正モードとを切り替える。
単修正モードでは、手動時刻修正部４８０は、信号判定部４７４から単修正指令を受けた場合に、時分針モーター２１４を制御して、分針１２２を正転方向または逆転方向に６０秒（１分）分駆動させる。本実施形態では、分針１２２は、１２パルスで６度（１分）駆動する。したがって、手動時刻修正部４８０は、信号判定部４７４から単修正指令を受けると時分針モーター２１４に１２パルス分の駆動信号を出力する。この際、手動時刻修正部４８０は、通常の運針速度よりも速い駆動速度で分針１２２及び時針１２３を駆動させる。
早回し修正モードは、上述したように、分針１２２及び時針１２３を通常の運針速度よりも速い早回し速度で連続駆動させるモードであり、手動時刻修正部４８０は、信号判定部４７４から早回し指令を受けた場合に、時分針モーター２１４に連続駆動パルスを出力する。
この早回し修正モードでは、分針１２２及び時針１２３を正転方向に駆動させる場合、例えば６４Ｈｚの連続駆動パルスを時分針モーター２１４に出力し、逆転方向に駆動させる場合、例えば４２Ｈｚの連続駆動パルスを時分針モーター２１４に出力する。
【００６１】
［制御装置の動作］
図６は、本実施形態における手動時刻修正のフローチャートである。
図６に示すように、本実施形態における手動時刻修正では、まず、リューズ１４の引出段数が「２」であるか否かを判定する（ステップＳ１）。つまり、リューズ段数判定部４６０は、第四スイッチ２７４Ｂがオン状態になったか否かを判定する。
【００６２】
ステップＳ１において、「Ｎｏ」と判定された場合は、待機状態となりステップＳ１に戻る。
ステップＳ１において、「Ｙｅｓ」と判定された場合は、手動時刻修正部４８０は、指針１２の駆動を停止させる（ステップＳ２）。また、手動時刻修正部４８０は、秒針モーター２１３を制御し、秒針１２１を「０」位置に移動させる。
また、手動時刻修正部４８０は、駆動モードを単修正モードに設定し、信号判定部４７４は、信号判定モードを初期モードに設定する（ステップＳ３）。
【００６３】
この後、リューズ段数判定部４６０は、第四スイッチ２７４Ｂがオフ状態になったか否か、つまり、リューズ１４の引出段数が変更されたか否か、つまり、リューズ１４の引出段数が「０」または「１」に変更されたか否かを判定する（ステップＳ４）。ステップＳ４において、「Ｙｅｓ」と判定された場合、制御装置４０は、駆動機構２１０の各ステップモーターを通常の運針速度で駆動させ（ステップＳ５）、手動時刻修正処理を終了する。
ステップＳ４で「Ｎｏ」と判定された場合、リューズ回転操作判定部４７０は、リューズ回転操作判定処理を実施する（ステップＳ６）。
【００６４】
（リューズ回転操作判定処理）
図７は、図６のステップＳ６におけるリューズ回転操作判定処理のフローチャートである。
このリューズ回転操作判定処理では、まず、信号判定部４７４は、信号判定モードが初期モードであるか否かを判定する（ステップＳ１００）。
ステップＳ１００で、「Ｙｅｓ」と判定された場合（初期モードである場合）、リューズ回転操作判定部４７０は、初期モードにおける信号判定処理を実施する（ステップＳ１０１）。
【００６５】
図８は、初期モードにおける信号判定処理を示すフローチャートである。
ステップＳ１００において、信号判定モードが初期モードであると判定された場合、図８に示すように、まず、信号受付部４７１は、回転検出部２７において第一スイッチ２７３Ａがオン状態となったか否かを判定する（ステップＳ１１１）。つまり、信号受付部４７１は、電源電圧（ＶＤＤ）の接点バネ２７２が第一スイッチ２７３Ａに接触し、第一スイッチ２７３Ａから制御装置４０に電源電圧（ＶＤＤ）に相当する検出信号が入力されたか否かを判定する。
このステップＳ１１１で「Ｙｅｓ」と判定された場合、信号受付部４７１は、入力された検出信号を第一検出信号として受け付け、かつ、その際のリューズ１４の回転方向が、右方向であると判断する（ステップＳ１１２）。
【００６６】
一方、ステップＳ１１１において「Ｎｏ」と判定された場合、信号受付部４７１は、回転検出部２７において第二スイッチ２７３Ｂがオン状態となったか否かを判定する（ステップＳ１１３）。
このステップＳ１１３で「Ｙｅｓ」と判定された場合、信号受付部４７１は、信号受付部４７１は、入力された検出信号を第一検出信号として受け付け、かつ、その際のリューズ１４の回転方向が、左方向であると判断する（ステップＳ１１４）。
また、ステップＳ１１３で「Ｎｏ」と判定された場合、つまり、第一スイッチ２７３Ａも第二スイッチ２７３Ｂもオン状態になっていないため、第一検出信号が検出されていないことを意味し、リューズ回転操作判定処理を抜ける。
【００６７】
ステップＳ１１２またはステップＳ１１４において、検出された第一検出信号に対して、リューズ１４の回転方向が特定されると、信号判定部４７４は、信号判定モードを早回し判定モードに設定する（ステップＳ１１５）。
そして、第一タイマー４７２Ａは、第一検出信号が検出されたタイミングで、第一タイマー４７２Ａをリセットし（カウンタ値を早回し判定用時間（例えば１６０ｍｓ）にセットし）、カウントダウンを開始する（ステップＳ１１６）。
【００６８】
図７に戻り、ステップＳ１００において「Ｎｏ」と判定された場合、信号判定部４７４は、信号判定モードが早回し判定モードであるか否かを判定する（ステップＳ１０２）。
このステップＳ１０２において「Ｙｅｓ」と判定された場合（早回し判定モードである場合）、リューズ回転操作判定部４７０は、早回し判定モードにおける信号判定処理を実施する（ステップＳ１０３）。
【００６９】
図９は、早回し判定モードにおける信号判定処理を示すフローチャートである。
ステップＳ１０２で「Ｙｅｓ」と判定されると、図９に示すように、まず、信号受付部４７１は、第一タイマー４７２Ａによりカウントされている早回し判定用時間がタイムアウトしたか否か、つまり第一タイマー４７２Ａにおけるカウンタ値が「０」になったか否かを判定する（ステップＳ１２１）。
このステップＳ１２１において「Ｙｅｓ」と判定された場合、信号判定部４７４は、第一検出信号に対するリューズの回転方向が右方向であるか否かを判定する（ステップＳ１２２）。
ステップＳ１２２において「Ｙｅｓ」と判定された場合、信号判定部４７４は、正転方向への単修正指令を手動時刻修正部４８０に出力する（ステップＳ１２３）。
また、ステップＳ１２２において「Ｎｏ」と判定された場合、信号判定部４７４は、逆転方向への単修正指令を手動時刻修正部４８０に出力する（ステップＳ１２４）。
そして、ステップＳ１２３またはステップＳ１２４の後、信号判定部４７４は、信号判定モードを初期モードに設定し（ステップＳ１２５）、リューズ回転操作判定処理を抜ける。
【００７０】
一方、ステップＳ１２１で「Ｎｏ」と判定された場合は、信号受付部４７１は、回転検出部２７において第一スイッチ２７３Ａがオン状態となったか否かを判定する（ステップＳ１２６）。
このステップＳ１２６で「Ｙｅｓ」と判定された場合、信号受付部４７１は、入力された検出信号を第二検出信号として受け付け、かつ、その際のリューズ１４の回転方向が、右方向であると判断する。
この場合、信号判定部４７４は、さらに、初期モードにおいて信号受付部４７１にて受け付けられた第一検出信号の回転方向が右方向であるか否かを判定する（ステップＳ１２７）。つまり、第一検出信号及び第二検出信号の双方が、リューズ１４が右方向に回転されることで出力された検出信号であるか否かを判定する。
このステップＳ１２７において、「Ｙｅｓ」と判定された場合、信号判定部４７４は、正転方向への早回し指令を手動時刻修正部４８０に出力する（ステップＳ１２８）。
【００７１】
一方、ステップＳ１２７において、「Ｎｏ」と判定された場合は、信号受付部４７１は、入力された第二検出信号を第一検出信号として受け付け、図８のステップＳ１１２に移行する。すなわち、第一検出信号に対するリューズ１４の回転方向が左方向であり、第二検出信号の回転方向が右方向である場合、信号受付部４７１は、第一検出信号を破棄して、第二検出信号を新たな第一検出信号とし、当該新たな第一検出信号に対するリューズ１４の回転方向を右方向と判定する。この場合、ステップＳ１１６において、第一タイマー４７２Ａのカウンタ値をリセットして（早回し判定用時間に戻して）、カウントダウンを再スタートさせる。
【００７２】
また、ステップＳ１２６で「Ｎｏ」と判定された場合は、信号受付部４７１は、回転検出部２７において第二スイッチ２７３Ｂがオン状態となったか否かを判定する（ステップＳ１２９）。
このステップＳ１２９で「Ｎｏ」と判定された場合、第一スイッチ２７３Ａも第二スイッチ２７３Ｂもオン状態になっていないため、第二検出信号が検出されていないことを意味し、リューズ回転操作判定処理を抜ける。
一方、ステップＳ１２９で「Ｙｅｓ」と判定された場合、信号受付部４７１は、入力された検出信号を第二検出信号として受け付け、かつ、その際のリューズ１４の回転方向が左方向であると判断する。
この後、信号判定部４７４は、初期モードで受け付けた第一検出信号の回転方向が左方向であるか否かを判定する（ステップＳ１３０）。つまり、第一検出信号及び第二検出信号の双方が、リューズ１４が左方向に回転されることで出力された検出信号であるか否かを判定する。
このステップＳ１３０において、「Ｙｅｓ」と判定された場合、信号判定部４７４は、逆転方向への早回し指令を手動時刻修正部４８０に出力する（ステップＳ１３１）。
【００７３】
また、ステップＳ１３０で「Ｎｏ」と判定された場合、信号受付部４７１は、入力された検出信号を第一検出信号とし、ステップＳ１１４に移行する。すなわち、第一検出信号に対するリューズ１４の回転方向が右方向であり、第二検出信号の回転方向が左方向である場合、信号受付部４７１は、第一検出信号を破棄して、第二検出信号を新たな第一検出信号とし、当該新たな第一検出信号に対するリューズ１４の回転方向を左方向と判定する。この場合、ステップＳ１１６において、第一タイマー４７２Ａのカウンタ値をリセットして（早回し判定用時間に戻して）、カウントダウンを再スタートさせる。
【００７４】
そして、リューズ回転操作判定部４７０は、ステップＳ１２８またはステップＳ１３１の後、第一タイマー４７２Ａのカウントをストップさせる（ステップＳ１３２）。
また、時間設定部４７３は、ステップＳ１３２で第一タイマー４７２Ａのカウントをストップさせた際のカウンタ値を読み込み、入力無視時間を算出する（ステップＳ１３３）。
具体的には、時間設定部４７３は、下記式（１）に基づいて入力無視時間を設定する。
【００７５】
入力無視時間＝入力間隔×所定係数  …（１）
【００７６】
すなわち、時間設定部４７３は、早回し判定用時間の設定値（例えば１６０ｍｓ）から、ステップＳ１３２で第一タイマー４７２Ａを停止した際の残タイマカウンタ値に対応する時間を引き、第一検出信号の検出（出力）タイミングと、第二検出信号の検出（出力）タイミングとの検出間隔（入力間隔）を算出する。そして、この検出間隔に対して予め設定された所定係数（本実施形態では、１．５）を掛けた値を入力無視時間とする。
例えば、第一タイマー４７２Ａが１０ｍｓ経過毎にタイマカウンタ値を「１」ダウンカウントさせる場合、初期値として「１６」が設定される。そして、例えばステップＳ１３２で第一タイマー４７２Ａが停止された際の残タイマカウンタ値が１０となった場合、時間設定部４７３は、（１６０ｍｓ−１０×１０ｍｓ）×１．５＝９０ｍｓとして入力無視時間を算出する。
【００７７】
この後、第二タイマー４７２Ｂは、入力無視時間のカウントをスタートさせる（ステップＳ１３４）。つまり、第二タイマー４７２Ｂは、ステップＳ１３３で設定された入力無視時間をカウンタ値に設定し、カウントダウンをスタートする。
また、信号判定部４７４は、信号判定モードを早回し停止判定モードに設定する（ステップＳ１３５）。
この後、リューズ回転操作判定処理を抜ける。
【００７８】
図７に戻り、ステップＳ１０２において「Ｎｏ」と判定された場合、信号判定モードが早回し停止判定モードであることを意味する。
この場合、リューズ回転操作判定部４７０は、早回し停止判定モードにおける信号判定処理を実施する（ステップＳ１０４）。
【００７９】
図１０は、早回し停止判定モードにおける信号判定処理を示すフローチャートである。
図１０に示すように、早回し停止判定モードでは、信号受付部４７１は、第二タイマー４７２Ｂによりカウントされる入力無視時間がタイムアウトしたか否かを判定する（ステップＳ１４１）。つまり、第二タイマー４７２Ｂのカウンタ値が「０」になったか否かを判定する。
ステップＳ１４１において「Ｙｅｓ」と判定された場合、信号受付部４７１は、第一スイッチ２７３Ａ及び第二スイッチ２７３Ｂのいずれかがオン状態になったか否かを判定する（ステップＳ１４２）。つまり、信号受付部４７１は、回転検出部２７からの検出信号の入力があった否かを判定し、入力がある場合、当該検出信号を受け付ける。
ステップＳ１４２において「Ｎｏ」と判定された場合は、リューズ回転操作判定処理を抜ける。
一方、ステップＳ１４２において「Ｙｅｓ」と判定された場合は、信号判定部４７４は、手動時刻修正部４８０に指針停止指令を出力する（ステップＳ１４３）。
また、ステップＳ１４３の後、信号判定部４７４は、信号判定モードを初期モードに設定し（ステップＳ１４４）、リューズ回転操作判定処理を抜ける。
【００８０】
一方、ステップＳ１４１において「Ｎｏ」と判定された場合、信号受付部４７１は、回転検出部２７から検出信号が入力されても、ステップＳ１４２のような判定処理を実施しない。すなわち、信号受付部４７１は、回転検出部２７から検出信号が入力されても、当該検出信号を受け付けずに無視し、リューズ回転操作判定処理を抜ける。
【００８１】
図６に戻り、以上のような、ステップＳ６のリューズ回転操作判定処理の後、手動時刻修正部４８０は、駆動モードが単修正モードであるか否かを判定する（ステップＳ７）。
ステップＳ７において、「Ｙｅｓ」と判定された場合、手動時刻修正部４８０は、ステップＳ６において信号判定部４７４から単修正指令が入力されたか否かを判定する（ステップＳ８）。
ステップＳ８において「Ｙｅｓ」と判定された場合、単修正指令が正転方向に対する指令であるか否かを判定する（ステップＳ９）。ステップＳ９において「Ｙｅｓ」と判定された場合、手動時刻修正部４８０は、１２パルスの駆動パルスを時分針モーター２１４に出力し、分針１２２を６度、正転方向に駆動させる（ステップＳ１０）。
一方、ステップＳ９において、「Ｎｏ」と判定された場合、手動時刻修正部４８０は、１２パルスの駆動パルスを時分針モーター２１４に出力し、分針１２２を逆転方向に６度駆動させる（ステップＳ１１）。
この後、手動時刻修正部４８０は、ステップＳ４の処理に戻る。
【００８２】
一方、ステップＳ８において「Ｎｏ」と判定された場合、手動時刻修正部４８０は、ステップＳ６において信号判定部４７４から早回し指令が入力されたか否かを判定する（ステップＳ１２）。
ステップＳ１２において「Ｎｏ」と判定された場合、ステップＳ４の処理に戻る。
一方、ステップＳ１２において、「Ｙｅｓ」と判定された場合、当該早回し指令が正転方向に対する早回し指令であるか否かを判定する（ステップＳ１３）。ステップＳ１３において「Ｙｅｓ」と判定された場合、手動時刻修正部４８０は、６４Ｈｚの連続駆動パルスを時分針モーター２１４に出力し、分針１２２及び時針１２３を正転方向に早回し駆動させる（ステップＳ１４）。
一方、ステップＳ１３において、「Ｎｏ」と判定された場合、手動時刻修正部４８０は、４２Ｈｚの連続駆動パルスを時分針モーター２１４に出力し、分針１２２及び時針１２３を逆転方向に早回し駆動させる（ステップＳ１５）。
この後、手動時刻修正部４８０は、駆動モードを早回し修正モードに設定し（ステップＳ１６）、ステップＳ４の処理に戻る。
【００８３】
また、ステップＳ７において「Ｎｏ」と判定された場合（駆動モードが早回し修正モードである場合）、手動時刻修正部４８０は、ステップＳ６において信号判定部４７４から指針停止指令が出力されているか否かを判定する（ステップＳ１７）。
ステップＳ１７において「Ｎｏ」と判定された場合は、ステップＳ４の処理に戻り、早回し修正による時刻修正を継続する。
一方、ステップＳ７において「Ｙｅｓ」と判定された場合、連続駆動パルスにより駆動されている時分針モーター２１４の駆動を停止させる（ステップＳ１８）。この後、手動時刻修正部４８０は、駆動モードを単修正モードに設定し（ステップＳ１９）、ステップＳ４の処理に戻る。
【００８４】
［本実施形態の作用効果］
本実施形態では、早回し判定用時間内にリューズ１４が回転操作され、信号受付部４７１により、回転検出部２７から連続する２回の検出信号（第一検出信号及び第二検出信号）が入力されると、手動時刻修正部４８０は、時分針モーター２１４に出力し、分針１２２及び時針１２３を正転方向または逆転方向に早回し駆動させる。この際、第一タイマー４７２Ａにより第一検出信号及び第二検出信号の検出間隔（入力間隔）が計測され、時間設定部４７３は、計測された検出間隔に応じて入力無視時間を設定する。そして、信号受付部４７１は、回転検出部２７から第二検出信号が出力された後、この入力無視期間の間に回転検出部２７から３回目以降の検出信号が入力された場合、当該検出信号を受け付けず無視する。一方、信号受付部４７１は、入力無視時間経過後に検出信号が入力された場合は、当該検出信号を受け付け、手動時刻修正部４８０は、早回し駆動を停止させる。
このため、第一検出信号及び第二検出信号の検出間隔に応じて、入力無視時間が増減する。つまり、ユーザーがリューズ１４を操作する際に、その回転速度を変化させることで、入力無視時間を変化させることができ、時計操作性を向上できる。例えば、早回し駆動を開始した後、すぐに当該早回し駆動を停止させたい場合では、リューズ１４の回転速度を速めることで入力無視時間を短縮でき、ユーザーの意図したタイミングで早回し駆動を停止させることができる。
また、時計の種類によっては、リューズ１４の形状やサイズ等が変化し、さらに、ユーザーの個人差、リューズ１４の回転方向によってもリューズ１４の操作速度が異なるが、本実施形態では、リューズ１４の回転速度に対応した検出信号の検出間隔によって最適な入力無視時間を設定することができるので、リューズ１４の形状やサイズ、ユーザー個人差による影響を除外でき、各ユーザーにとって最適な入力無視時間を設定することができる。
【００８５】
本実施形態では、時間設定部４７３は、第一検出信号及び第二検出信号の検出間隔に対して所定の係数を掛けた入力無視時間を設定している。したがって、検出信号の出力タイミングから容易に入力無視時間を算出することができ、構成及び処理の簡略化を図れる。
【００８６】
本実施形態では、係数が１．０より大きく、３．０以下の値に設定されている。したがって、ユーザーが、早回し駆動により時刻を修正するべく、リューズ１４を等速で回転させた際に、意図せず連続した３回の検出信号が出力された場合でも、３回目の検出信号が入力無視時間に検出されることになり、ユーザーの意図しないタイミングでの早回し駆動が停止される不都合を回避できる。また、過剰に長い入力無視時間が設定されないため、時計操作性の低下を抑制できる。
【００８７】
本実施形態では、係数として、回転検出部２７により検出信号が出力されるリューズ１４の回転角度に応じて設定されている。つまり、スイッチ車１４２の歯数に応じて、歯数が多い場合には、係数を小さく、歯数が小さい場合には、係数が大きくなるように、適宜係数が設定されている。したがって、リューズ１４の構造、回転検出部２７によるリューズ１４の回転検出仕様等によって、検出間隔が変化する場合でも、当該検出間隔に対する最適な係数を設定することができ、最適な入力無視時間の算出ができる。
【００８８】
本実施形態では、信号受付部４７１は、第一スイッチ２７３Ａ及び第二スイッチ２７３Ｂのオンオフ状態に基づいて、リューズ１４の回転方向を検出可能であり、信号判定部４７４は、リューズ１４の回転方向が同一であり、早回し判定用時間内に２回の検出信号が出力された場合に早回し指令を出力する。したがって、リューズ１４の回転方向によって、時刻修正方向を、正転方向及び逆転方向のいずれかに設定することができ、時刻の早送り修正及び巻き戻し修正の双方を実施することができる。
【００８９】
［実施形態の変形］
本発明は前述の実施形態に限定されるものではなく、本発明の目的を達成できる範囲での変形、改良等は本発明に含まれるものである。
上記実施形態では、リューズ１４の回転操作に応じて、表示装置１０で表示される時刻を早回し駆動させて修正する例を示したが、これに限定されない。例えば、ベゼル１８にタイムゾーンを選択するための地点情報が設けられ、入力装置７０の操作により、指針（例えば秒針１２１）を移動させてタイムゾーンを選択可能な構成としてもよい。この場合、リューズ１４を駆動させて、所定の早回し判定用時間内で２回の検出信号が検出された際に、タイムゾーンを選択する指針を早回し駆動させる処理をする。この際、時間設定部４７３は、２回の検出信号の検出間隔に対して比例係数を掛けた入力無視時間を算出する。
【００９０】
上記実施形態では、ステップモーターを制御し、指針を駆動させることで時刻を表示する電子時計を例示したが、例えば液晶ディスプレイ等の表示装置に時刻をデジタル表示させる構成としてもよい。
【００９１】
上記実施形態では、回転検出部２７として、スイッチ車１４２により移動体２７１及び接点バネ２７２を移動させ、接点バネ２７２とスイッチ２７３Ａ，２７３Ｂを接触させることで検出信号を制御装置４０に出力したが、これに限定されない。回転検出部としては、例えば、光センサー等によってリューズ１４の回転や回転量を検出し検出信号を出力する構成などとしてもよい。
【００９２】
上記実施形態では、時間設定部４７３は、検出間隔に比例した時間を設定したが、これに限定されない。例えば、検出間隔が０〜ｔ１である場合は、係数Ｋ１を適用し、ｔ１〜ｔ２である場合は係数Ｋ２を適用する等、検出間隔に応じて係数を変化させてもよい。また、検出間隔に応じて係数を０に近付ける等、１次遅れ曲線に従って入力無視時間を設定してもよい。
【００９３】
上記実施形態では、早回し判定用時間内に２回の検出信号が出力された際に、リューズ１４の回転方向が同一であれば、早回し指令を出力して、指針１２を早回し駆動させる構成を例示したが、これに限定されない。例えば正転方向への時刻修正のみが可能な電子時計では、リューズ１４の回転方向によらず、早回し時間内に２回の検出信号が出力されれば、早回し指令を出力して早回しによる時刻修正を実施する構成としてもよい。
【００９４】
上記実施形態では、第一タイマー４７２Ａは、早回し判定用時間からカウンタ値をカウントダウンさせる例を示したが、例えば、カウンタ値を「０」からカウントアップさせ、早回し判定用時間（１６０ｍｓ）になったか否かを判定してもよい。第二タイマー４７２Ｂにおいても同様であり、カウンタ値を「０」からカウントアップさせてもよい。
また、第一タイマー４７２Ａ及び第二タイマー４７２Ｂを備える構成としたが、１つのタイマーのみにより早回し判定用時間のカウント及び入力無視時間のカウントを実施してもよい。この場合、第一検出信号が入力された時点でタイマーのカウントをスタートさせ、第二検出信号が入力されたタイミングでストップし、入力無視時間が算出されると、タイマーのカウンタ値をリセットした上で入力無視時間のカウントをスタートさせる。
【００９５】
上記実施形態では、入力無視時間を算出するための係数として、１．０より大きく、３．０以下となる値と用いたが、これに限定されない。例えば、係数として、３．０よりも大きい係数を設定してもよい。また、係数として１．０以下となる値を用いてもよいが、この場合、入力無視時間が短く、意図しない検出信号が受け付けられる可能性が高くなる。
さらに、上記実施形態では、操作部材であるリューズ１４を回転させた際に、検出信号が出力される角度（第一角度）に応じて係数を設定する例を示し、第一角度が小さい（上記実施形態では、スイッチ車１４２の歯数が多い）場合に係数を小さくし、第一角度が大きい（スイッチ車１４２の歯数が少ない）場合に係数を大きくする例を示したが、これに限定されない。例えば、第一角度（スイッチ車１４２の歯数）に限らず、係数を一定にしてもよく、第一角度が大きい場合に係数を小さくし、第一角度が小さい場合に係数を大きくしてもよい。
【００９６】
また、上記実施形態では、初期モードにおいて、所定時間内に２回の検出信号が検出された場合に、駆動モードを早回し修正モードに設定し、信号判定モードを早回し停止判定モードに設定した。これに対して、例えば所定時間内に、検出信号が３回検出された場合に駆動モードを早回し修正モードに設定し、信号判定モードを早回し停止判定モードに設定してもよい。この場合、例えば、連続して入力される３回の検出信号のうち、２回目の検出信号を本発明の第１の検出信号（第一検出信号）とし、３回目の検出信号を本発明の第２の検出信号（第二検出信号）として、これらの検出信号が受け付けられた時間間隔を計測して入力無視時間を設定すればよい。
【００９７】
上記実施形態では、本発明の操作部材としてリューズ１４を例示したが、これに限定されない。例えば、ベゼルが回転可能に設けられ、当該ベゼルが本発明の操作部材を構成してもよい。この場合、回転検出部は、ベゼルの回転を検出して検出信号を出力し、間隔計測部は、所定時間内に第１の検出信号及び第２の検出信号が出力された場合に、その検出信号が出力された時間間隔を計測し、時間設定部は、この時間間隔に応じて入力無視時間を算出する。そして、信号受付部は、第２の検出信号が出力されてから、この算出された入力無視時間の間、検出信号を受け付けず、無視する。このような構成でも、上記実施形態と同様の作用効果を奏することができる。
【符号の説明】
【００９８】
１…電子時計、１０…表示装置、１２…指針、１４…リューズ（操作部材）、１４１…巻真、１４２…スイッチ車、１４３…歯、２１０…駆動機構、２１３…秒針モーター、２１４…時分針モーター、２７１…移動体、２７２…接点バネ、２７３Ａ…第一スイッチ、２７３Ｂ…第二スイッチ、４０…制御装置、４６０…リューズ段数判定部、４７０…リューズ回転操作判定部、４７１…信号受付部、４７２…タイマー、４７２Ａ…第一タイマー（間隔計測部）、４７２Ｂ…第二タイマー、４７３…時間設定部、４７４…信号判定部、４８０…手動時刻修正部。
【図１】
2014215106.tif 000003
【図２】
2014215106.tif 000004
【図３】
2014215106.tif 000005
【図４】
2014215106.tif 000006
【図５】
2014215106.tif 000007
【図６】
2014215106.tif 000008
【図７】
2014215106.tif 000009
【図８】
2014215106.tif 000010
【図９】
2014215106.tif 000011
【図１０】
2014215106.tif 000012